(57)【要約】  本発明は、ウエハーの縁部に堆積された膜質とパーティクルをプラズマエッチングで乾式洗浄する装置であって、外部と隔離された空間を提供し、その上面が蓋体によって開閉される筐体と、上記蓋体の開閉時にその位置を保持するように上記蓋体と離隔された状態で上記筐体の内部に設置される上部電極組立体と、上記筐体の内部において上記上部電極組立体の下方に昇降自在に設置され、その上にはウエハーが載置される下部電極組立体、及び上記下部電極組立体を昇降させる昇降手段と、を含む。また、筐体の外部の上面中心と上部電極組立体の中心には透明な観測窓が設けられてウエハーのアラインメント状態を外部から確認することができる。【選択図】図１
2009540561.tif 000002
【特許請求の範囲】
【請求項１】
外部と隔離された空間を提供し、その上面が蓋体によって開閉される筐体と、
前記蓋体の開閉時にその位置を保持するように前記蓋体と離隔された状態で前記筐体の内部に設置される上部電極組立体と、
前記筐体の内部において前記上部電極組立体の下方に昇降自在に設置され、その上にはウエハーが載置される下部電極組立体、及び前記下部電極組立体を昇降させる昇降手段と、を含むことを特徴とするプラズマエッチングチャンバ。
【請求項２】
前記下部電極組立体は、前記ウエハーが載置されるウエハーチャックと、
前記ウエハーチャックの外周面に配置されるリング状の下部電極と、を含むことを特徴とする請求項１に記載のプラズマエッチングチャンバ。
【請求項３】
前記下部電極組立体は、ウエハーが載置されるウエハーチャックを含み、
前記ウエハーチャックはセラミックスで形成され、その内側に空間が備えられてポリイミドで形成された中心ファンが収容される構造からなることを特徴とする請求項１に記載のプラズマエッチングチャンバ。
【請求項４】
前記ウエハーチャックの縁部にはスイッチング手段を介して接地されるリング状の放電電極が設置され、
前記中心ファンの内部にはＤＣジェネレーターを介して電力が印加される静電電極が配置され、その上面に載置されるウエハーを静電荷でチャッキングまたはチャッキング解除することを特徴とする請求項２または３に記載のプラズマエッチングチャンバ。
【請求項５】
前記筐体の排気通路に配置されてプラズマエッチングにより生成されるガスに残存するパーティクルを検出するインサイチュモニタリングツールを備え、
前記インサイチュモニタリングツールは、対向配置される発光部と受光部を含むことを特徴とする請求項１に記載のプラズマエッチングチャンバ。
【請求項６】
前記上部電極組立体は、前記筐体の側壁に形成された段部に受け止められて締結手段で固定されることを特徴とする請求項１に記載のプラズマエッチングチャンバ。
【請求項７】
前記昇降手段は、前記下部電極組立体に対し下向きに延びて前記筐体の外部に突出するシャフトと、
サーボモーターによって駆動されるスクリューと、
前記スクリューの回転によって前記スクリューに沿って昇降するキャリア、及び前記シャフトと前記キャリアとを連結する支持ロッドと、を含むことを特徴とする請求項１に記載のプラズマエッチングチャンバ。
【請求項８】
前記筐体と前記蓋体との間に密閉用シーリングが介在されることを特徴とする請求項１に記載のプラズマエッチングチャンバ。
【請求項９】
前記シャフトの周りに気密保持のための密閉用ベローズがさらに設置されることを特徴とする請求項１に記載のプラズマエッチングチャンバ。
【請求項１０】
前記上部電極組立体は、前記筐体の内部に着脱自在に設置される上部電極ボディーと、
前記上部電極ボディーの底面に固着されるリング状の上部電極と、
前記上部電極の内側に反応ガス通路を形成するガス分配板、及び前記ガス分配板の底面に不活性ガス通路を形成するバッフル板と、を含むことを特徴とする請求項１に記載のプラズマエッチングチャンバ。
【請求項１１】
前記筐体の側壁と前記上部電極ボディーには、外部及び前記不活性ガス通路と連通する水平通路が形成されることを特徴とする請求項１０に記載のプラズマエッチングチャンバ。
【請求項１２】
前記筐体の上部側壁に反応ガスが流入される流入孔が形成され、前記流入された反応ガスは、前記上部電極ボディーに形成された垂直通路を介して前記反応ガス通路に直接流入されることを特徴とする請求項１０に記載のプラズマエッチングチャンバ。
【請求項１３】
前記締結手段はボルトまたはピンを含み、
前記上部電極組立体には、前記ボルトまたはピンが挿通する挿通孔が形成され、
前記挿通孔の大きさは、前記ボルトまたはピンの大きさより大きく形成されることを特徴とする請求項６に記載のプラズマエッチングチャンバ。
【請求項１４】
外部と隔離された空間を提供し、その上面が蓋体によって開閉される筐体と、
前記筐体の内部に設置される上部電極組立体と、
前記筐体の内部において前記上部電極組立体の下方に昇降自在に設置され、その上にはウエハーが載置される下部電極組立体と、
前記下部電極組立体を昇降させる昇降手段、及び前記上部電極組立体の中心に透明材質の観測窓と、を含むことを特徴とするプラズマエッチングチャンバ。
【請求項１５】
前記筐体の上面の中心にも透明材質の観測窓が設けられることを特徴とする請求項１４に記載のプラズマエッチングチャンバ。
【請求項１６】
前記上部電極組立体の中心に設けられた観測窓の上にＣＣＤカメラがさらに設置されることを特徴とする請求項１４に記載のプラズマエッチングチャンバ。
【請求項１７】
前記筐体の上面の中心に設けられた観測窓の上にＣＣＤカメラがさらに設置されることを特徴とする請求項１５に記載のプラズマエッチングチャンバ。
【請求項１８】
前記観測窓の中心及び前記下部電極組立体の中心にそれぞれアラインメントマークが形成され、前記アラインメントマークの一致から上部電極組立体と下部電極組立体との整列状態を確認することができることを特徴とする請求項１４に記載のプラズマエッチングチャンバ。
【請求項１９】
前記アラインメントマークが十字形をなすことを特徴とする請求項１８に記載のプラズマエッチングチャンバ。
【請求項２０】
前記透明材料は石英またはサファイアを含むことを特徴とする請求項１４に記載のプラズマエッチングチャンバ。
【発明の詳細な説明】
【技術分野】
【０００１】
本発明は、ウエハーを乾式エッチングする装置に係り、より詳しくは、本導体ウエハーの端縁部に残留する膜質及び、その周辺に堆積されるパーティクルをプラズマによりエッチングするプラズマエッチングチャンバに関する。
【背景技術】
【０００２】
ウエハーの表面に積層される膜質は、通常、プラズマエッチングによって除去しているが、この過程で積層された膜質が残存して生じるパーティクルは完全に除去されずウエハーの縁部に一部堆積される。
【０００３】
従来、このようにウエハーの縁部に堆積されるパーティクルを完全に除去するために、ウエハーが載置されるウエハーチャックの上、下方にリング状の上、下部電極を配置し、反応ガスをウエハーの縁部に供給しながら両電極に電圧を印加して生成されるプラズマにより上記縁部のパーティクルを除去するプラズマエッチングチャンバが開発されたことがある。
【０００４】
公知のプラズマエッチングチャンバは、外部と隔離される空間を備えた筐体と、その内部の上側に昇降自在に配置されるリング状の上部電極と、この上部電極の中心に位置して反応ガスの通路を形成するガス分配板と、ゲートを介して装入されるウエハーを受け入れるために昇降作動するウエハーチャック、及びその周りに配置されるリング状の下部電極とを含む。
【０００５】
プラズマエッチングは、ガス分配板とウエハー表面との間の間隙を０．１〜０．６ｍｍ、通常は、０．３５ｍｍの範囲で保持させた状態で行われ、その間隙の誤差は、０．０５ｍｍ単位の苛酷な条件で管理されるため、非常に精度よく微調整される必要がある。また、ウエハーの中心がウエハーチャックの中心から離れて偏心状態でローディングされることがあってはいけない。
【０００６】
なお、プラズマエッチングチャンバは、稼動中に上部電極と下部電極、及びその組立体の周辺に反応副産物が堆積するため、定期的に分解し洗浄する必要がある。
【０００７】
ところで、上述した構成を有する公知のプラズマエッチングチャンバでは、上、下部電極が独立してそれぞれ昇降する構造であり、上部電極を支持する絶縁体は、筐体の上側蓋体の中心にて支持されるため、これを分解しまた再組立する度に上部電極とその周辺の組立体のアラインメントが変動することがある。これにより、プラズマエッチングチャンバの分解及び組立の際に、上部電極とウエハー表面間での間隙の変化やウエハーのアラインメントのずれが招来され、分解及び組立を行なう度に、改めて精緻にセッティングしなければならないという煩わしい問題が発生する。
【０００８】
さらには、筐体の内部に供給されウエハーチャックの上面に載置されるウエハーが正しく整列されたかどうかをプラズマエッチングの前に目視にて確認するのが必要である。しかしながら、従来のプラズマエッチングチャンバは、上部電極が昇降するように中央に昇降ロッドが装着されるため、上部からウエハーチャックを目視にて確認することができず、このため、ウエハーの整列状態を外部からモニタリングすることができないという不具合がある。
【０００９】
また、従来のプラズマエッチングチャンバは、チャンバの内部でウエハーをチャッキングしてエッチングし、エッチングされたウエハーをチャッキング解除して取り出す過程でウエハーに損傷を与えるという問題点がある。
【００１０】
そして、ウエハーチャックは、ウエハーのチャッキングとチャッキング解除のために別途のメカニズムを具備する。ウエハーのローディング時にウエハーの底面を真空吸着固定する真空チャックはその一例である。また、エッチング時にウエハーの表面にはプラズマの影響で電荷が蓄電され、この電荷は、ウエハーの表面に衝撃を与えてウエハーに損傷を与える。特に、ゲートフィルムは、ウエハー上に蓄電される電荷に損傷を受けやすい物性がある。
【００１１】
また、ウエハーチャックとしてポリイミドを適用すれば、ウエハーのローディングとアンローディング時にスリップ現象が発生しなくなるものの、ポリイミドは、プラズマに損傷を受けやすいため、これをウエハーチャックに適用することは容易でない。
【発明の開示】
【発明が解決しようとする課題】
【００１２】
そこで、本発明の目的は、チャンバの洗浄及びメンテナンスのために筐体の蓋体を開閉しても、上、下部電極のアラインメント状態が変動しない構造からなるプラズマエッチングチャンバを提供することである。
【００１３】
本発明の他の主な目的は、筐体の上面中心を介してウエハーの整列状態を外部より目視または観測道具により観測することができる構造からなるプラズマエッチングチャンバを提供することである。
【００１４】
本発明のまた他の主な目的は、ウエハーチャックに静電チャックを導入して、エッチング時にプラズマの影響によりウエハーに蓄電される電荷をアンローディングの前に消滅させることでウエハーの損傷を防止するプラズマエッチングチャンバを提供することである。
【００１５】
本発明の更なる主な目的は、ウエハーチャックでウエハーをローディングする時にスリップ現象を防止することができるプラズマエッチングチャンバを提供することである。
【００１６】
本発明のまた更なる目的は、ウエハーのエッチングタイムを自動で制御することができるようにすることで過度なエッチングを抑制し、インサイチュモニタリングが可能な構造を有するプラズマエッチングチャンバを提供することである。
【課題を解決するための手段】
【００１７】
上記目的を達成するために、本発明のプラズマエッチングチャンバは、外部と隔離された空間を提供し、その上面が蓋体によって開閉される筐体と、上記蓋体の開閉時にその位置を保持するように上記蓋体と離隔された状態で上記筐体の内部に設置される上部電極組立体と、上記筐体の内部において上記上部電極組立体の下方に昇降自在に設置され、その上にはウエハーが載置される下部電極組立体、及び上記下部電極組立体を昇降させる昇降手段と、を含む。
【００１８】
また、上記下部電極組立体は、上記ウエハーが載置されるウエハーチャックと、上記ウエハーチャックの外周面に配置されるリング状の下部電極を含むことができる。
【００１９】
また、上記ウエハーチャックはセラミックスで形成され、その内側に空間が備えられてポリイミドで形成された中心ファンが収容される構造からなってよい。
【００２０】
また、上記ウエハーチャックの縁部にはスイッチング手段を介して接地されるリング状の放電電極が設置されてよい。ここで、上記中心ファンの内部にはＤＣジェネレーターを介して電力が印加される静電電極が配置され、その上面に載置されるウエハーを静電荷でチャッキングまたはチャッキング解除することができる。
【００２１】
また、本発明によるプラズマエッチングチャンバは、上記筐体の排気通路に配置されてプラズマエッチングにより生成されるガスに残存するパーティクルを検出するインサイチュモニタリングツールを備えることができる。このとき、上記インサイチュモニタリングツールは、対向配置される発光部と受光部を含んでなる。
【００２２】
また、上記上部電極組立体は、上記筐体の側壁に形成された段部に受け止められて締結手段で固定されてよい。
【００２３】
また、上記昇降手段は、上記下部電極組立体に対し下向きに延びて上記筐体の外部に突出するシャフトと、サーボモーターによって駆動されるスクリューと、上記スクリューの回転によって上記スクリューに沿って昇降するキャリア、及び上記シャフトと上記キャリアとを連結する支持ロッドを含むことができる。
【００２４】
また、上記筐体と上記蓋体との間に密閉用シーリングが介在されてよい。
【００２５】
また、上記シャフトの周りに気密保持のための密閉用ベローズがさらに設置されてよい。
【００２６】
また、上記目的を達成するための本発明のプラズマエッチングチャンバは、外部と隔離された空間を提供し、その上面が蓋体によって開閉される筐体と、上記筐体の内部に設置される上部電極組立体と、上記筐体の内部において上記上部電極組立体の下方に昇降自在に設置され、その上にはウエハーが載置される下部電極組立体と、上記下部電極組立体を昇降させる昇降手段、及び上記上部電極組立体の中心に透明材質の観測窓と、を含む。
【００２７】
また、上記筐体の上面の中心にも透明材質の観測窓がさらに設けられてよい。
【００２８】
また、上記上部電極組立体の中心または上記筐体の上面の中心に設けられた観測窓の上にＣＣＤカメラがさらに設置されてよい。
【００２９】
また、上記観測窓の中心及び上記下部電極組立体の中心にそれぞれアラインメントマークが形成され、上記アラインメントマークの一致から上部電極組立体と下部電極組立体との整列状態を確認することができる。
【００３０】
また、上記アラインメントマークが十字形をなしてよい。
【００３１】
また、上記透明材料は石英またはサファイアを含んでよい。
【発明の効果】
【００３２】
以上で説明したような本発明によるプラズマエッチングチャンバは、次のような効果を奏する。
【００３３】
第一に、筐体の内部において、上部電極組立体が蓋体の開閉に影響されない位置に固定され、下部電極組立体が相対移動することでプラズマエッチングに必要な間隙をなすように微調整されるため、蓋体を頻繁に開閉しても上、下部電極組立体同士の配置関係が変化しない。また、下部電極組立体の昇降移動によりサブミリメートル単位の超精密制御が可能となる。
【００３４】
第二に、従来装置とは異なって上部電極組立体を昇降移動させるための駆動手段を省くことができるためその構造が簡単になる。
【００３５】
第三に、蓋体から上部電極組立体を簡単に取り外すことができるため、使用後に上部電極ボディー、ガス分配板、ウエハーチャックなどの洗浄を簡便に行なうことができる。
【００３６】
第四に、必要に応じてその度に筐体の内部を目視またはＣＣＤカメラなどの好適な観測道具により観察することができるため、エッチングの進行前にアラインメントの不整合による不良要因に対し措置をとることができる。
【００３７】
第五に、内部がポリイミドからなり外部がセラミックスからなるウエハーチャックは、ウエハーのローディング時にスリップ現象を防止することで精緻なアラインメントを実現し、プラズマによるウエハーの損傷を防止する。また、低廉なポリイミドの使用により製造コストの節減効果を図ることができる。
【００３８】
第六に、排気されるガスに含有されたパーティクルの残存有無及び排気ガスの成分分析をインサイチュモニタリングツールによりチェックすることができ、プラズマエッチングタイムを自動制御することができるため、過度エッチングという問題を防止することができる。
【発明を実施するための最良の形態】
【００３９】
以下、本発明の実施の形態によるプラズマエッチングチャンバを、添付した図面を参照して詳しく説明する。
【００４０】
図１は、本発明の実施の形態によるプラズマエッチングチャンバの側断面図であり、図２は、本発明の実施の形態によるプラズマエッチングチャンバの平面図であり、図３は、図２に示された蓋体の観測窓にＣＣＤカメラを設置した状態を示す図であり、図４は、ウエハーチャックが上昇した後の状態を示すプラズマエッチングチャンバの側断面図である。
【００４１】
図１を参照すれば、本発明の実施の形態によるプラズマエッチングチャンバは、外部と隔離された空間を提供し、その上面が蓋体４によって開閉される筐体２を含む。
【００４２】
蓋体４は、通常の手段により筐体２に結合される。該手段としては、例えば、ボルトやナットにより直接締結する方式や、クランプ手段を利用して結合する方式などが適用されてよい。筐体２と蓋体４との間には、Ｏリングなどの密閉用シーリング６を介在させることが好ましい。
【００４３】
筐体２の上側には上部電極組立体８が配置されており、上部電極組立体８は、上記蓋体４を開放すれば外部に露出する。上部電極組立体８は、筐体２の内部に着脱自在に設置される伝導体からなる上部電極ボディー８０と、この上部電極ボディー８０の底面に固着されるリング状の上部電極８１、及び、その内側に位置する絶縁体からなるガス分配板（Ｇａｓ  Ｄｉｓｔｒｉｂｕｔｉｏｎ  Ｐｌａｔｅ；ＧＤＰ）８２とを含む。
【００４４】
上部電極８１とガス分配板８２との間には、反応ガス管８３を介して供給される反応ガスをウエハーＷの縁部に注入させる反応ガス通路８４が形成される。また、上記ガス分配板８２の中心近傍の底面には、不活性ガス管８５を介して供給される窒素、ヘリウムなどの不活性ガスを注入する不活性ガス通路８６がバッフル板８７によって一定の範囲にかけて形成されている。両ガス通路８４、８６は、平面形状が円形をなすように形成されてもよい。
【００４５】
一方、上記反応ガス管８３と不活性ガス管８５は、それぞれアダプダ８８、８９を介して当該通路８４、８６の入口に着脱自在に設けられてもよい。上記アダプタ８８、８９の着脱構造によって上部電極組立体８を筐体２から簡便に取り外すことができる。
【００４６】
なお、不活性ガスは、上記不活性ガス管８５及びアダプタ８９を介さずに不活性ガス通路８６に流れ込まれることがより好ましい。このために、筐体２の側壁と上部電極ボディー８０には、上記不活性ガス通路８６と連通する別個の水平通路を備える。これにより、不活性ガスが、上記筐体２及び上部電極ボディー８０を直接通り抜けて不活性ガス通路８６に流入されるようになる。
【００４７】
また、上記反応ガスも上記反応ガス管８３及びアダプタ８８を介さずに反応ガス通路８４に流入されてよい。このために、筐体２の上部側壁に反応ガスが流入される流入孔を形成し、この流入孔から上部電極ボディー８０上の筐体２内部の空間に直接反応ガスを注入する。注入された反応ガスは、垂直通路を通り抜けて直接反応ガス通路８４に流入される。
【００４８】
筐体２のブラケット１２には、上部電極組立体８を着脱自在に固定する締結手段１０が設置される。
【００４９】
締結手段１０は、上記上部電極ボディー８０を精度よく位置決めして固定することができる構造であれば、特に制限がない。例えば、筐体２の側壁の所定位置に上記上部電極ボディー８０を支持する段部１２を形成し、段部１２に受け止められた上部電極ボディー８０を通常のボルトやピンにて垂直に固設することができる。なお、上記ボルトやピンが挿通する挿通孔が上記上部電極ボディー８０の対応部位に形成される。ボルトである場合はナットで締結し、ピンである場合はクランプを使って上記上部電極ボディー８０を固定する。
【００５０】
また、上記ボルトやピンが挿通する挿通孔の径は、ボルトやピンの径より大きく形成されてよい。これは、上部電極ボディー８０の固定時にアラインメントを調整可能にする間隔を確保するためである。
【００５１】
筐体２の一方側には、昇降手段１４が配置される。昇降手段１４は、一対の軸受部１４０の間に貫通配置されるスクリュー１４１と、このスクリュー１４１を精度よく回転駆動させるサーボモーター１４２、及び上記スクリュー１４１の螺旋運動により昇降推進されるキャリア１４３を含む。
【００５２】
上部電極組立体８の下方には、上記昇降手段１４によって上下移動する下部電極組立体１６が位置する。
【００５３】
下部電極組立体１６は、上記ガス分配板８２に対向配置されて上下移動するウエハーチャック１６０、及びこのウエハーチャック１６０の外周に絶縁状態で取り付けられ上記リング状の上部電極８１に対向配置されるリング状の下部電極１６１を含む。上記ウエハーチャック１６０は、絶縁板１６２を介在してマウンティングプレート１６３の上面に装着される。
【００５４】
そして、マウンティングプレート１６３の底面の中心にはシャフト１６４が取り付けられて外部に延びており、その縦端部は、上記キャリア１４３から延びてきた支持ロッド１４４に直交方向に一体で連結される。上記シャフト１６４の周りにはベローズ１６５が被覆され、昇降中にも気密を保持することができるようにする。
【００５５】
上記筐体２の一方側は、ゲートバルブ１８により開閉される排気通路２０が延びており、その縦端にはドライポンプ２２が設置され、上記筐体２に供給される反応ガス、不活性ガス及びエッチングによって生成されるパーティクルなどを回収する。
【００５６】
また、筐体２の一方側には、上記ウエハーチャック１６０の上面にウエハーＷを供給してローディングしたり、またはアンローディングして回収したりする時に、通路として利用されるスロットバルブ２４が開閉自在に設置されている。上記上部電極８１の下端には互いに対向配置される受光用ギャップセンサー２６と発光用ギャップセンサー２８が取り付けられている。
【００５７】
上記受光用ギャップセンサー２６としてはＣＣＤカメラが適用可能であり、発光用ギャップセンサー２８としては発光の直進性が良い短波長ランプやレーザー出力機が適用可能である。
【００５８】
上記蓋体４の中心には、石英やサファイアなどの透明な材質からなる観測窓３０が設けられており、上部電極組立体８の中心にも同様に観測窓９０が設けられている。これら観測窓３０、９０は、互いに中心が一致した状態で配置されている。
【００５９】
これら観測窓３０、９０の中心には図２に示されたように、十字形（＋）標識などのアラインメントマーク３２、９２が表示されており、ウエハーＷの中心整列状態を目視などで正確に確認することができる。なお、アラインメントマークの形状は上記十字形に限られず、多様に変形可能である。
【００６０】
観測のための構造の他の例として、上記筐体２に位置する観測窓３０には図３に示されたように、ＣＣＤカメラ３４が一体で設置されてよい。これにより、ウエハーチャック１６０に載置されたウエハーＷの整列状態を別途に用意されるモニターを介して拡大して観測することができるため、より精度よくアラインメント状態を確認・点検することができ、且つ、ＣＣＤカメラ３４で撮像される映像をイメージ合成し誤差を割り出す方式でアラインメント状態を点検することも可能となる。
【００６１】
また、中心に十字形のアラインメントマークが表示されたアラインメントチェック用ウエハーを予め実際の稼動と同じ条件でウエハーチャック１６０にローディングさせつつ、上記観測窓３２からアラインメント状態を点検することができる。このとき、誤差が生じた時は、ウエハーＷを搬送するハンドラー（図示せず）などの位置や作動範囲などを調整する方式にてウエハーのアラインメントを調整することも可能である。
【００６２】
上述した構成を備えた本発明のプラズマエッチングチャンバは、次の手順によって作動する。
【００６３】
先ず、ウエハーチャック１６０に載置されるウエハーＷの中心整列状態は、蓋体４の上面中心に設けられた観測窓３０と、上部電極組立体８の中心に設けられた観測窓９０から目視またはＣＣＤカメラ３４にて観測することができるため、異常ローディングされるウエハーに対してエッチング前に予め措置を取ることができ、不良率を下げることができる。なお、筐体２の上側蓋体４を開けると、上部電極組立体８を筐体２から簡単に取り外し及び組み立てることができる。
【００６４】
ウエハーＷの中心の一致状態が確認されると、昇降手段１４が下部電極組立体１６を所定の地点まで上昇移動させ、図４に示されたように、上部電極８１とウエハーの縁部の表面とが所定の間隔をあけて向き合う状態になる。
【００６５】
この過程において、筐体２の側辺に設置された発光用ギャップセンサー２８の光が、上昇する下部電極組立体１６のウエハーＷによって遮られ、その光量に変化が生じるようになる。これにより、受光用ギャップセンサー２６は、光量低下検出信号を送り出し、この信号が制御信号としてサーボモーター１４２にフィードバックされてその回転駆動を制御するようになる。すなわち、受光用ギャップセンサー２６からの検出信号により上記サーボモーター１４２が止められ、これにより、上部電極８１がウエハーＷの縁部の上面と所定の間隔をあけて向き合うようになる。
【００６６】
本発明における以降の工程は、ウエハーＷの縁部へ反応ガスが注入されるとともにプラズマ放電が開始され、その内側は不活性ガスによって保護されるとともに非放電領域として保全され、ウエハーＷの縁部だけにエッチング処理が施される。このようなウエハーＷの縁部に対するエッチング処理は、本発明の以前から広く知られた技術であるため、これに関する詳細説明は省くことにする。
【００６７】
図５は、本発明の他の実施の形態によるウエハーチャックの断面図であり、図６は、本発明の実施の形態によるプラズマエッチングチャンバのインサイチュモニタリングツールの配置例を示す図である。
【００６８】
一方、本発明の実施の形態によるプラズマエッチングチャンバにおける、ウエハーチャック１６０は、通常、セラミックス材質からなる。図５を参照すれば、ウエハーチャック１６０は、内側に空間を備えた形態で形成され、その空間にポリイミドにて別途成形された中心ファン１６６を埋め立て状態で収容させてなる構造であってもよい。上記中心ファン１６６に適用されるポリイミドは、表面摩擦係数が大きくて、その上面にウエハーＷが載置される時にスリップ現象が発生することがなく、これにより、ウエハーＷのローディング時に発生するアラインメント不良を極力抑制することができるとともに、ウエハーチャック１６０の製造コストを抑えることができる。
【００６９】
また、ポリイミドはプラズマに損傷されやすい物性を有するため、ウエハーチャック１６０の全体がポリイミド材質で形成されることは好ましくない。すなわち、図５に示したように、プラズマに接触するようになるウエハーチャック１６０の外表面の縁部と底面の近傍はセラミックス材質で形成され、プラズマと接触しない内側部分はポリイミドで形成される。
【００７０】
また、本発明の実施の形態によるプラズマエッチングチャンバにおけるウエハーチャック１６０は、静電チャックで構成されてもよい。この場合、ウエハーチャック１６０の上面の縁部にはリング状の放電電極１６７がさらに設置され、中心ファン１６６の中には静電電極１６８が螺旋状に配列される。
【００７１】
ウエハーチャック１６０の縁部は、放電電極１６７の収容に伴い、静電電極１６８と十分な間隔をなすように上記縁部の幅Ｌを１０ｍｍ以上に設定してある。このようにして設置される放電電極１６７は、スイッチング手段１６９を介して接地され、また上記静電電極１６８にはＤＣジェネレーター１７０が接続される。
【００７２】
ウエハーチャック１６０は、上述した構成によって静電電極１６８に帯電される電荷が静電場を形成しながらウエハーＷをチャッキングまたはチャッキング解除する静電チャックとして働くようになる。
【００７３】
より詳しく説明すれば、ＤＣジェネレーター１７０は、チャッキング時に上記ウエハーＷの電荷と逆の極性である陽電荷で静電電極１６８を帯電させて陽極性の静電場が形成されるようにすることで生じた逆極性の強い吸引力でウエハーＷをチャッキングさせる。逆に、チャッキング解除時には、ＤＣジェネレーター１７０が上記ウエハーＷの電荷と同一極性である陰電荷で静電電極１６８を帯電させることで生じた同一極性の強い反発力により上記ウエハーＷをチャッキング解除させる。
【００７４】
なお、静電電極１６８の配置形態は、螺旋状に制限されるものではない。
【００７５】
上述したようなチャッキング／チャッキング解除の過程において、静電電極１６８に印加される電荷の一部は中心ファン１６６を透過して上面に積もり、このようにして積もった電荷によって対向するウエハーＷの底面には逆極性の電荷が帯電される。このような現象は、上記ウエハーのチャッキング力を増大させるものの、チャッキング解除時には、むしろチャッキング解除を邪魔する力として働くようになる。
【００７６】
そのため、プラズマエッチングが終了すれば、スイッチング手段１６９をスイッチ−オンしてウエハーＷの底面に帯電された電荷を放電電極１６７に流すことで消滅させる。上記スイッチング手段１６９は、プラズマエッチングが開始される直前にスイッチ−オフに切り換えられなければならない。これと同時に、上記ＤＣジェネレーター１７０は、今まで印加した電源とは逆極性に変換された電圧を上記静電電極１６８に印加することで今まで帯電された陽電荷とは逆極性の陰電荷を帯電させることにより、上記中心ファン１６６の上面を中和させ、電荷の残留による問題が次の工程で発生しないようにする。
【００７７】
そして、本発明の実施の形態によるプラズマエッチングチャンバでは、エッチングタイム自動制御のための手段が具備されてもよい。
【００７８】
図６は、エッチングタイム自動制御のために排気通路２０上に発光部３６と受光部３８を対向配置した構成のインサイチュモニタリングツール４０が適用された例を示している。
【００７９】
インサイチュモニタリングツール４０は、発光部３６から照射される光を受光部３８が受けて電気的信号に変換する装置である。すなわち、排気通路２０から排気されるガスにパーティクルが多量含有されているときは、発光部３６から照射される光がパーティクルによって分光屈折しながら散乱する現象が現れ、これにより、受光部３８の検知する光量が増減変化するようになる。このときの光量の変化による電気的信号の変化をバロメーターとしてエッチングタイムを制御する。上記インサイチュモニタリングツール４０は、必ずしも排気通路２０に設置されなければならないものではなく、例として、受光用ギャップセンサー２６と発光用ギャップセンサー２８の横に並んで配置しておいても、上部電極８１とウエハーＷの上面との間でのガス流れを通じてパーティクルの残存有無をチェックし、エッチングタイムを制御することができる。
【００８０】
エッチングタイムの制御によりプラズマによるウエハー表面の過度エッチングを防止することができる。
【００８１】
以上、本発明の好適な実施の形態について説明したが、本発明はこれに限定されるものではなく、特許請求の範囲と発明の詳細な説明及び添付した図面の範囲内で様々に変形し実施することが可能であり、かかる変形実施も本発明の範囲に属することはいうまでもない。
【産業上の利用可能性】
【００８２】
本発明に係るプラズマエッチングチャンバによれば、チャンバの洗浄及びメンテナンスのために筐体の蓋体を開閉しても、上、下部電極のアラインメント状態が変動しないようにすることができるため有用である。
【図面の簡単な説明】
【００８３】
本発明の目的と特徴及び特長は、添付の図面並びに詳細な説明により更に明確になると思われる。
【図１】本発明の実施の形態によるプラズマエッチングチャンバの側断面図である。
【図２】本発明の実施の形態によるプラズマエッチングチャンバの平面図である。
【図３】図２に示された蓋体の観測窓にＣＣＤカメラを設置した状態を示す図である。
【図４】ウエハーチャックが上昇した後の状態を示すプラズマエッチングチャンバの側断面図である。
【図５】本発明の他の実施の形態によるウエハーチャックの断面図である。
【図６】本発明の実施の形態によるプラズマエッチングチャンバのインサイチュモニタリングツールの配置例を示す図である。
【符号の説明】
【００８４】
２  筐体
４  上側蓋体
６  密閉用シーリング
８  上部電極組立体
１０  締結手段
１２  段部
１４  昇降手段
１６  電極組立体
１８  ゲートバルブ
２０  排気通路
２２  ドライポンプ
２４  スロットバルブ
２６  受光用ギャップセンサー
２８  発光用ギャップセンサー
３０  観測窓
３２  アラインメントマーク
３４  カメラ
３６  発光部
３８  受光部
４０  インサイチュモニタリングツール
８０  電極ボディー
８１  上部電極
８２  ガス分配板
８３  反応ガス管
８４  ガス通路
８５  不活性ガス管
８６  ガス通路
８７  バッフル板
８８  アダプタ
８９  アダプタ
９０  観測窓
９２  アラインメントマーク
１４０  軸受部
１４１  スクリュー
１４２  サーボモーター
１４３  キャリア
１４４  支持ロッド
１６０  ウエハーチャック
１６１  下部電極
１６２  絶縁板
１６３  マウンティングプレート
１６４  シャフト
１６５  ベローズ
１６６  中心ファン
１６７  放電電極
１６８  静電電極
１６９  スイッチング手段
１７０  ジェネレーター
Ｗ  ウエハー
【図１】
2009540561.tif 000003
【図２】
2009540561.tif 000004
【図３】
2009540561.tif 000005
【図４】
2009540561.tif 000006
【図５】
2009540561.tif 000007
【図６】
2009540561.tif 000008
【国際調査報告】
2009540561.tif 000009
2009540561.tif 000010